Podtech/llm-jp-corpus-v4-ja_patent huggingface dataset:
【手続補正書】
【提出日】平成23年1月20日(2011.1.20)
【手続補正１】
【補正対象書類名】特許請求の範囲
【補正対象項目名】全文
【補正方法】変更
【補正の内容】
【特許請求の範囲】
【請求項１】
被識別体の識別に用いられる光学センサが備える光学センサモジュールであって、
光源と、
前記光源と前記被識別体との間の光路上に配置され、前記光源からの光を第１の端面から前記第１の端面と対向する第２の端面へと伝播させる導光体と、
を備え、
前記導光体は、偶数角の角柱形状を有した導光路を有し、
前記第１の端面には、光を拡散させる拡散面が形成されることを特徴とする光学センサモジュール。
【請求項２】
前記導光体は、四角柱、六角柱及び八角柱のうちのいずれか一つの形状から成る導光路を有していることを特徴とする請求項１に記載の光学センサモジュール。
【請求項３】
前記拡散面は、縦横方向に規則的に設けられる複数の凹部を有し、前記縦横方向の各々について、隣り合う前記凹部は部分的に重なるように形成されることを特徴とする請求項１又は２に記載の光学センサモジュール。
【請求項４】
前記凹部は、半円筒状の溝であることを特徴とする請求項３に記載の光学センサモジュール。
【請求項５】
前記導光体は、前記第１の端面側に設けられる八角柱形状の導光路と、前記第２の端面側に設けられる円柱形状の導光路と、を有することを特徴とする請求項１から４のいずれかに記載の光学センサモジュール。
【請求項６】
前記光源は、互いに異なる波長の光を出射する複数の光源からなることを特徴とする請求項１から５のいずれかに記載の光学センサモジュール。
【請求項７】
前記複数の光源は基板上に並設されていることを特徴とする請求項６に記載の光学センサモジュール。
【請求項８】
前記光源及び前記基板を収容するハウジング部を更に備え、
前記導光体と前記ハウジング部は一体的に形成されることを特徴とする請求項７に記載の光学センサモジュール。
【請求項９】
前記光源の数は２つであって、一方は青色光を出射し、他方は紫外光を出射することを特徴とする請求項１から８のいずれかに記載の光学センサモジュール。
【請求項１０】
請求項１から９のいずれかに記載の光学センサモジュールと、
前記被識別体からの光を受光する受光部と、
を備えることを特徴とする光学センサ。
【請求項１１】
前記受光部は、前記被識別体を透過した透過光を受光することを特徴とする請求項１０に記載の光学センサ。
【手続補正２】
【補正対象書類名】明細書
【補正対象項目名】００１０
【補正方法】変更
【補正の内容】
【００１０】
上記目的を達成するために第一の局面の発明は、被識別体の識別に用いられる光学センサが備える光学センサモジュールであって、光源と、前記光源と前記被識別体との間の光路上に配置され、前記光源からの光を第１の端面から前記第１の端面と対向する第２の端面へと伝播させる導光体と、を備え、前記導光体は、偶数角の角柱形状を有した導光路を有し、前記第１の端面には、光を拡散させる拡散面が形成されることを特徴としている。この構成では、前記導光体は、四角柱、六角柱及び八角柱のうちのいずれか一つの形状から成る導光路を有しているのが好ましい。また、前記光源は、互いに異なる波長の光を出射する複数の光源からなるのが好ましい。そして、前記複数の光源は基板上に並設されているのが好ましい。
【手続補正３】
【補正対象書類名】明細書
【補正対象項目名】００１１
【補正方法】変更
【補正の内容】
【００１１】
本構成によれば、導光体が偶数角の角柱形状を有した導光路を有する構成となっている。このために、光源から導光体に入射した光が漏れる可能性を低くでき、光の損失を低減できる。また、導光体の光が入射する側の端面を拡散面としている。このために、導光体に入射する光について、光を拡散した状態で導光体に入射させることになり、導光体から出射する光をなるべく均一な状態とすることが可能となる。従って、本構成によれば、光学センサモジュールが備えるいずれの光源から出射される光についても、ほぼ同様の光強度分布を有する光として導光体から出射できる。そして、導光体での光の漏れが少ないために、いずれの光源から出射される光についても光量ロスを低く抑えて、導光体から出射できる。
【手続補正書】
【提出日】平成23年3月3日(2011.3.3)
【手続補正１】
【補正対象書類名】特許請求の範囲
【補正対象項目名】全文
【補正方法】変更
【補正の内容】
【特許請求の範囲】
【請求項１】
ネコ検体を酸性にしてネコレプチンに結合している自己抗体を分離し、かつ、タンパク質沈殿剤を添加してネコレプチンに結合していない自己抗体を分離し、該ネコ検体から自己抗体を除去した後、ネコ検体中に存在するネコレプチンを測定することを特徴とするネコレプチン測定方法。
【請求項２】
請求項１に記載のネコレプチン測定方法であって、無機酸または有機酸を使用して前記ネコ検体を酸性にすることを特徴とするネコレプチン測定方法。
【請求項３】
請求項１または２に記載のネコレプチン測定方法であって、前記タンパク質沈殿剤が飽和硫酸アンモニウム、飽和硫酸ナトリウムおよびポリエチレングリコールから選ばれることを特徴とするネコレプチン測定方法。
【請求項４】
請求項１ないし３のいずれか１項に記載のネコレプチン測定方法であって、アルコールをさらに添加してネコレプチンを分離することを特徴とするネコレプチン測定方法。
【請求項５】
請求項１ないし４のいずれか１項に記載のネコレプチン測定方法であって、前記ネコレプチン結合自己抗体の抗体価を測定することを特徴とするネコレプチン測定方法。
【請求項６】
請求項１ないし５のいずれか１項に記載のネコレプチン測定方法に使用するネコレプチン測定キットであって、該キットが、標準イヌもしくはラットレプチン溶液、抗レプチン抗体ならびにビオチン結合抗レプチン抗体、ペルオキシダーゼ・アビジン結合物、発色液および反応停止液からなることを特徴とするネコレプチン測定キット。
【手続補正書】
【提出日】平成23年3月4日(2011.3.4)
【手続補正１】
【補正対象書類名】明細書
【補正対象項目名】００６８
【補正方法】変更
【補正の内容】
【００６８】
１、２    マイクロホン（指向性）
１０    受音部
１１〜１３    マイクロホン（指向性）
２０    演算部
２１〜２４    マイクロホン（指向性）
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
シート上に画像を形成する画像形成部と、
画像形成されたシートに綴じ処理を実行する綴じ処理部と、
画像形成されたシートに断裁処理を実行する断裁処理部と、
綴じ処理する際の綴じ幅の設定値、及び断裁処理する際の断裁幅の設定値が入力される入力部と、
シートに対する後処理として綴じ処理と断裁処理が設定された際、入力された綴じ幅の設定値と断裁幅の設定値とを比較し、比較した結果に基づいて前記綴じ処理部及び前記断裁処理部を制御する制御部と、
を具備し、
前記制御部は、綴じ位置と断裁位置とが重なる、又は綴じ幅より断裁幅が狭いと判定した場合は、後処理動作を実行しないことを特徴とする画像形成システム。
【請求項２】
シート上に画像を形成する画像形成部と、
画像形成されたシートに綴じ処理を実行する綴じ処理部と、
画像形成されたシートに断裁処理を実行する断裁処理部と、
綴じ処理する際の綴じ幅の設定値及び断裁処理する際の断裁幅の設定値が入力される入力部と、
を備え、
前記入力部に綴じ幅の設定値及び断裁幅の設定値が入力されたとき、前記シートの綴じ位置と断裁位置とが重なる、又は断裁幅が綴じ幅より狭いと判定した場合は、入力された設定値を受け付けないことを特徴とする画像形成システム。
【請求項３】
前記制御部は、前記判定がされたとき、後処理の再設定を促す報知をすることを特徴とする請求項１又は２に記載の画像形成システム。
【請求項４】
前記再設定は、後処理の設定の解除と設定値の変更のうち少なくとも一方によって行われることにより行われることを特徴とする請求項３に記載の画像形成システム。
【請求項５】
前記再設定は、綴じ処理と断裁処理の設定のうち少なくとも一方の解除により行われることを特徴とする請求項３又は４に記載の画像形成システム。
【請求項６】
前記再設定は、綴じ処理と断裁処理の設定値のうち少なくとも一方の変更により行われることを特徴とする請求項３又は４に記載の画像形成システム。
【請求項７】
報知後所定時間、前記再設定がされなかった場合、前記制御部は、後処理の設定を解除することを特徴とする請求項３乃至６のいずれか１項に記載の画像形成システム。
【手続補正２】
【補正対象書類名】明細書
【補正対象項目名】０００６
【補正方法】変更
【補正の内容】
【０００６】
前記目的を達成するため、本発明の画像形成システムは、シート上に画像を形成する画像形成部と、画像形成されたシートに綴じ処理を実行する綴じ処理部と、画像形成されたシートに断裁処理を実行する断裁処理部と、綴じ処理する際の綴じ幅の設定値、及び断裁処理する際の断裁幅の設定値が入力される入力部と、シートに対する後処理として綴じ処理と断裁処理が設定された際、入力された綴じ幅の設定値と断裁幅の設定値とを比較し、比較した結果に基づいて前記綴じ処理部及び前記断裁処理部を制御する制御部と、を具備し、前記制御部は、綴じ位置と断裁位置とが重なる、又は綴じ幅より断裁幅が狭いと判定した場合は、後処理動作を実行しないことを特徴とする。
【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
主面に多数の画素回路をマトリクス配列した第１の基板と、一辺が前記第１の基板の対応する辺から後退し、該第１の基板との間に液晶層を封止する第２の基板とからなり、
前記第１の基板の主面に前記画素回路を駆動する半導体チップを搭載すると共に該半導体チップと接続する配線端子を有する液晶表示パネルと、前記液晶表示パネルの背面に光を照射するバックライトと、前記液晶表示パネルと前記バックライトを収容するモールドフレームと、該モールドフレームの背面に設けた反射シートを備えた液晶表示装置であって、
前記第１の基板の主面の前記配線端子に一端部を接続し他端部に発光ダイオードを搭載したフレキシブルプリント基板を有し、
前記モールドフレームは、導光板の収容部と、前記発光ダイオードの収容部を有し、
前記フレキシブルプリント基板を前記バックライトの背面側に折り曲げて、その他端部に搭載した前記発光ダイオードを前記モールドフレームの前記発光ダイオードの収容部に収納し、当該フレキシブルプリント基板の他端部の端面が前記反射シートの端面と対向することを特徴とする液晶表示装置。
【請求項２】
請求項１において、
前記フレキシブルプリント基板の他端部の端面と、前記発光ダイオードの出光面とがほぼ一致していることを特徴とする液晶表示装置。
【請求項３】
請求項１において、
前記バックライトを構成する導光板と前記液晶表示パネルの間に拡散板とプリズム板を積層した光学補償シートを供えたことを特徴とする液晶表示装置。
【手続補正２】
【補正対象書類名】明細書
【補正対象項目名】００２５
【補正方法】変更
【補正の内容】
【００２５】
液晶表示パネルの第１の基板３の端部背面は両面テープ１７でモールドフレーム６に粘着され、ＬＥＤ取付け部位８は両面テープ１１でモールドフレーム６に粘着されている。
この構成で、ＦＰＣ５のＬＥＤ取付け部位８の先端部分が反射シート７の端部に同一面上で微小間隔で対向、または当接している。反射シート７は導光板１６の下面を均一に覆うように設置される。これにより、液晶表示モジュールの厚みの増加は回避される。この重なりの回避は、ＬＥＤの新規な構造に起因する。以下、これについて図１０を用いて説明する。
【手続補正書】
【提出日】平成23年3月4日(2011.3.4)
【手続補正１】
【補正対象書類名】特許請求の範囲
【補正対象項目名】請求項１
【補正方法】変更
【補正の内容】
【請求項１】
結着樹脂、着色剤、及び極性樹脂を少なくとも含有するトナー粒子を有するトナーであって、
前記トナー粒子は水系媒体中で製造されたトナー粒子であり、
前記トナーに対する微小圧縮試験において、測定温度２５℃で、前記トナー１粒子に負荷速度９．８×１０−５Ｎ／ｓｅｃで２．９４×１０−４Ｎの最大荷重をかけ終えた後、０．１秒間放置して得られる変位量（μｍ）を最大変位量Ｘ３０、前記０．１秒間放置後、除荷速度９．８×１０−５Ｎ／ｓｅｃで除荷し、荷重が０となったときに得られる変位量（μｍ）を変位量Ｘ４０、前記最大変位量Ｘ３０と変位量Ｘ４０との差を弾性変位量Ｙとし、前記弾性変位量Ｙの前記最大変位量Ｘ３０に対する百分率［Ｙ／Ｘ３０×１００：復元率］をＺ（２５）（％）としたとき、Ｚ（２５）（％）は、４０≦Ｚ（２５）≦８０、の関係を満足し、
前記トナーの示差走査熱量測定（ＤＳＣ）装置により測定されたガラス転移温度（ＴｇＡ）が４０℃乃至６０℃であり、最大吸熱ピークの温度（Ｐ１）が７０℃乃至９０℃であり、前記最大吸熱ピークの温度（Ｐ１）と前記ガラス転移温度（ＴｇＡ）が、１５℃≦Ｐ１−ＴｇＡ≦５０℃、の関係を満足し、
前記着色剤は表面処理された顔料組成物を含有し、
前記着色剤の電位差滴定装置により測定された酸価（ＡＶ）が３．０ｍｇＫＯＨ／ｇ乃至２２．０ｍｇＫＯＨ／ｇを満足し、
前記着色剤をキシレン中に分散して作製された分散液と、イオン交換水に希塩酸を加えることにより水素イオン濃度指数（ｐＨ）が２.０に調整された水溶液を混合後、静置し
、得られた水相を測定波長４５０ｎｍに設定した分光光度計で透過率を測定し、１００％から前記透過率を差し引いた値を移行度（ＴＡ）としたときに、移行度（ＴＡ）が０％乃至３０％を満足し、
前記着色剤をキシレン中に分散して作製された分散液と、イオン交換水に水酸化ナトリウム水溶液を加えることにより水素イオン濃度指数（ｐＨ）が１０.０に調整された水溶
液を混合後、静置し、得られた水相を測定波長４５０ｎｍに設定した分光光度計で透過率を測定し、１００％から前記透過率を差し引いた値を移行度（ＴＢ）としたときに、移行度（ＴＢ）が０％乃至３５％を満足することを特徴とするトナー。
【手続補正２】
【補正対象書類名】明細書
【補正対象項目名】０１０６
【補正方法】変更
【補正の内容】
【０１０６】
＜着色剤の水相への移行度（ＴＡ）及び移行度（ＴＢ）の測定方法＞
本発明における着色剤の水相への移行度（ＴＡ）及び移行度（ＴＢ）は以下の条件及び方法で求めた。
着色剤５ｇをキシレン１００ｍｌ中に添加し、ペイントシェーカーにて１時間分散させた。その後、水素イオン濃度指数（ｐＨ）２.０に調整された水溶液１０ｍｌ中に、上記分
散液２ｇを添加し、振とう機（株式会社ヤヨイ）にて２００回／分で１分間振とうさせた。その後、２４時間静置し、油相と水相が完全に分離していることを確認してから、水相６ｍｌを抽出し、分光光度計ＵＶ３１００Ｃ（島津製作所社製）を使用し、透過率を測定した。透過率の測定条件を以下に示す。なお、上記水素イオン濃度指数（ｐＨ）が２．０に調整された水溶液は、イオン交換水に希塩酸を少量ずつ添加し調製した。
測定波長：４５０ｎｍ
スキャン速度：中速
スリット幅：５ｎｍ
サンプリングピッチ：２ｎｍ
着色剤の水相への移行度（ＴＡ）は下記式で求めた。
（式）：移行度（ＴＡ）＝１００（％）−上記透過率（％）
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
原稿の画像を読取るスキャナと、
種々の動作モードに応じて画像データを処理する複数の処理部と、
前記スキャナにより読取った画像データを動作モードに応じた処理部で処理するための画像データに変換する複数の画像変換部と、
前記各画像変換部での画像変換処理の内容によらずに同等な領域を原稿画像外の領域として画像データから消去する原稿外消去部と、
前記原稿外消去部により原稿画像外の領域が消去され、かつ、ユーザが指定する動作モードに対応する画像変換部で処理された画像データを当該動作モードに応じた処理部へ供給する制御部と、を有する画像処理装置。
【請求項２】
前記スキャナは、見開き状態でセットされた本における見開きの２ページ分の画像を読み取り、
前記原稿外消去部は、前記見開きの両ページの境界線を中心する領域を原稿画像外の領域として消去し、前記原稿画像外の領域として消去する領域が前記各画像変換部での画像変換処理の内容によらずに同等となる、ことを特徴とする前記請求項１に記載の画像処理装置。
【請求項３】
前記原稿外消去部は、各画像変換部の前段に設けられ、入力される画像データから原稿画像外の領域を消去した画像データを各画像変換部へ供給する、ことを特徴とする前記請求項１に記載の画像処理装置。
【請求項４】
前記原稿外消去部は、各画像変換部の後段に設けられ、各画像変換部における処理内容によらずに同様な領域を原稿画像外の領域として消去する基準値に基づいて、各画像変換部で変換処理された画像データから原稿画像外の領域を消去する、ことを特徴とする前記請求項１に記載の画像処理装置。
【請求項５】
さらに、各画像変換部における処理内容によらずに同様な領域を原稿画像外の領域として消去する各動作モードごとの基準値を各動作モードに対応づけて記憶する記憶部を有し、
前記原稿外消去部は、前記記憶部に記憶されている動作モードに対応する基準値に基づいて、各画像変換部で変換処理された画像データから原稿画像外の領域を消去する、ことを特徴とする前記請求項４に記載の画像処理装置。
【請求項６】
原稿画像外の領域を検出するための強度をユーザが指定する設定画面を表示する表示部を有し、
前記原稿外消去部は、前記設定画面においてユーザにより指定された強度で検出される原稿画像外の領域が前記各画像変換部での画像変換処理の内容によらずに同等な領域となるように、画像データにおける原稿画像外の領域を検出し、前記画像データから前記検出した原稿画像外の領域を消去する、ことを特徴とする前記請求項１に記載の画像処理装置。
【請求項７】
前記表示部は、原稿画像外の領域を検出するための強度を複数段階からユーザが指定する設定画面を表示する、ことを特徴とする前記請求項６に記載の画像処理装置。
【請求項８】
前記表示部は、ユーザが指定する強度で消去される原稿画像外の領域を示す画像を表示する、ことを特徴とする前記請求項６に記載の画像処理装置。
【請求項９】
前記処理部による処理の前に、前記原稿外消去部により原稿画像外の領域が消去された画像を表示する表示部を有し、
前記制御部は、前記表示部に表示された内容がユーザによって確認された場合、前記画像データを当該動作モードに応じた処理部へ供給する、ことを特徴とする前記請求項１に記載の画像処理装置。
【請求項１０】
画像データを取得し、
前記取得した画像データをユーザが指定した動作モードに応じた画像データに変換し、
各種の動作モードに応じた画像データの変換処理の内容によらずに同等な領域を原稿画像外の領域として消去する原稿外消去処理により前記取得した画像データから原稿画像外の領域を消去し、
前記原稿画像外の領域が消去され、かつ、ユーザが指定する動作モードに応じた画像データに変換された画像データを用いて、前記動作モードに応じた処理を行う、ことを特徴とする画像処理方法。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
複数の図柄が回転表示される回転表示ゲームが行われる図柄表示手段と、
前記図柄表示手段における図柄の回転表示ゲームを開始させるスタート操作手段と、
前記スタート操作手段の操作に基づいて当選役についての抽選を行う役抽選手段と、
前記役抽選手段による抽選の結果に基づいて前記回転表示の停止にかかる制御を行う回転停止制御手段と、
前記回転表示が停止されたときの前記図柄の表示態様に基づいて、前記回転表示ゲームの実行数が所定回数に達したことを契機に秘密裏に状態終了されうる有限遊技状態に制御可能な状態制御手段と、
所定の表示面にて演出表示を行う演出表示制御手段と、を備え、
前記演出表示制御手段は、
前記回転表示ゲームの実行数が所定回数に達したことを契機に前記有限遊技状態が秘密裏に状態終了されて以降の所定期間、前記所定の表示面のうちの特定領域に対しての遊技者による確認行為があったことを契機に、前記有限遊技状態が状態終了された旨を遊技者に確信させる確定表示を前記特定領域にて実行可能な回答的表示制御手段
を有することを特徴とする遊技機。
【請求項２】
前記図柄表示手段は、液晶表示装置として設けられてなる
請求項１に記載の遊技機。
【請求項３】
前記図柄表示手段では、複数列の図柄による変動表示が行われる
請求項１または２に記載の遊技機。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
下記吸水性樹脂粉末と水からなり、ゲル内が目視できる透明性を有する水系ゲルを育苗ポット内に入れるステップ、該水系ゲルに植物の種子もしくは球根もしくは苗を入れるステップ、および該水系ゲル内で植物が発芽し生長するに伴うゲル内の植物の根の伸張状況を根を抜かずにゲルの外から目視で観察するステップからなることを特徴とする教材用の植物生長観察システム。
吸水性樹脂：  吸水性樹脂１重量部を２５℃のイオン交換水１００重量部に吸水させた時の吸水体の電気伝導率が０〜２．０ｍＳ／ｃｍであり、且つ２５℃のイオン交換水の吸水倍率が８０〜１０００倍である。
【請求項２】
さらに前記発芽し生長する植物をさらに用土の入った植物栽培容器に移植するステップ、および該植物がさらに生長するに伴う茎葉の生長状況を観察するステップからなることを特徴とする請求項１記載の教材用の植物生長観察システム。
【請求項３】
前記育苗ポットの容器が透明であり、ゲル内の植物の根の伸張状況を容器の側面から観察することを特徴とする請求項１または２記載の教材用の植物生長観察システム。
【請求項４】
さらに水系ゲルが肥料、植物生長ホルモン、抗菌剤、微量要素および防カビ剤からなる薬液から選ばれる１種以上の成分を含有することを特徴とする請求項１ないし３のいずれか１項に記載の教材用の植物生長観察システム。
【請求項５】
請求項１ないし４のいずれか１項に記載の教材用の植物生長観察システムに用いる、育苗ポット、下記吸水性樹脂粉末、および植物の種子もしくは球根もしくは苗をセットとする教材。
吸水性樹脂：  吸水性樹脂１重量部を２５℃のイオン交換水１００重量部に吸水させた時の吸水体の電気伝導率が０〜２．０ｍＳ／ｃｍであり、且つ２５℃のイオン交換水の吸水倍率が８０〜１０００倍である。
【請求項６】
さらに植物栽培容器、および用土を加えて一つのセットとする請求項５記載の教材。
【手続補正２】
【補正対象書類名】明細書
【補正対象項目名】０００６
【補正方法】変更
【補正の内容】
【０００６】  すなわち、本発明は、下記吸水性樹脂粉末と水からなり、ゲル内が目視できる透明性を有する水系ゲルを育苗ポット内に入れるステップ、該水系ゲルに植物の種子もしくは球根もしくは苗を入れるステップ、および該水系ゲル内で植物が発芽し生長するに伴うゲル内の植物の根の伸張状況を根を抜かずにゲルの外から目視で観察するステップからなることを特徴とする教材用の植物生長観察システムである。
吸水性樹脂：  吸水性樹脂１重量部を２５℃のイオン交換水１００重量部に吸水させた時の吸水体の電気伝導率が０〜２．０ｍＳ／ｃｍであり、且つ２５℃のイオン交換水の吸水倍率が８０〜１０００倍である。
【手続補正３】
【補正対象書類名】明細書
【補正対象項目名】０００７
【補正方法】変更
【補正の内容】
【０００７】  さらに、前記発芽し生長する植物をさらに用土の入った植物栽培容器に移植するステップ、および該植物がさらに生長するに伴う茎葉の生長状況を観察するステップからなることを特徴とする。
さらに前記育苗ポットの容器が透明であり、ゲル内の植物の根の伸張状況を容器の側面から観察することを特徴とする。
さらに水系ゲルが肥料、植物生長ホルモン、抗菌剤、微量要素および防カビ剤からなる薬液から選ばれる１種以上の成分を含有することを特徴とする。
また、前記の教材用の植物生長観察システムに用いる、育苗ポット、下記吸水性樹脂粉末、および植物の種子もしくは球根もしくは苗をセットとする教材である。
吸水性樹脂：  吸水性樹脂１重量部を２５℃のイオン交換水１００重量部に吸水させた時の吸水体の電気伝導率が０〜２．０ｍＳ／ｃｍであり、且つ２５℃のイオン交換水の吸水倍率が８０〜１０００倍である。
さらに植物栽培容器、および用土を加えて一つのセットとすることを特徴とする。
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
水に浸漬した醸造原料の横型連続蒸煮方法であって、
前記蒸煮開始直後から定常期までの前記醸造原料の堆積厚を可動式スライドシャッターにより薄くする第一工程、
及び前記定常期以後は前記醸造原料の堆積厚を厚くする第二工程を含む、横型連続蒸煮方法。
【請求項２】
第一工程の堆積厚が第二工程の堆積厚の４分の３以下である請求項１記載の方法。
【請求項３】
第一工程の堆積厚が第二工程の堆積厚の３分の２以下である請求項１記載の方法。
【請求項４】
第一工程の堆積厚が第二工程の堆積厚の２分の１以下である請求項１記載の方法。
【請求項５】
第一工程の堆積厚が第二工程の堆積厚の５分の１以下である請求項１記載の方法。
【請求項６】
醸造原料投入口から投入された水に浸漬した醸造原料がコンベアに堆積された状態で搬送されながら加熱蒸気により連続的に蒸煮される横型連続蒸煮装置であって、前記醸造原料投入口に前記醸造原料の堆積厚調節用の可動式スライドシャッターを有することを特徴とする横型連続蒸煮装置。
【請求項７】
可動式スライドシャッターが前記醸造原料の堆積厚を自動的に多段階又は無段階に制御するスライドシャッターである請求項６に記載の横型連続蒸煮装置。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
遊技に関する制御を行う制御基板と、
内部空間が形成されており、その内部空間に前記制御基板が収容されている基板ボックスと
を備え、
前記基板ボックスは、
相互に組み合わされることにより当該基板ボックスの内部空間の少なくとも一部を形成する第１ボックス構成体及び第２ボックス構成体と、
それら第１ボックス構成体及び第２ボックス構成体を相互に結合する結合手段と
を備え、
前記結合手段は、前記内部空間に収容されていることを特徴とする遊技機。
【請求項２】
前記結合手段は、前記第１ボックス構成体と前記第２ボックス構成体との組み合わせ作業が行われる場合のそれら第１ボックス構成体及び第２ボックス構成体の相対位置の変化に基づいて結合状態へ移行され、
前記結合手段が前記結合状態に移行されることにより、前記第１ボックス構成体と前記第２ボックス構成体との分離が不能となることを特徴とする請求項１に記載の遊技機。
【請求項３】
前記第１ボックス構成体は、前記制御基板の板面と対向する第１区画壁部を少なくとも有し、
前記第２ボックス構成体は、前記制御基板における前記板面とは反対側の板面に対向する第２区画壁部を少なくとも有し、
それら第１区画壁部及び第２区画壁部が前記結合手段によって相互に結合されていることを特徴とする請求項１又は請求項２に記載の遊技機。
【請求項４】
前記結合手段は、
前記第１区画壁部から前記第２区画壁部側に起立する第１柱状部と、
前記第２区画壁部から前記第１区画壁部側に向かって起立する第２柱状部と
を有し、
これら第１柱状部及び第２柱状部は、互いに向き合う端部同士が接触した状態にて相互に結合されていることを特徴とする請求項３に記載の遊技機。
【手続補正書】
【提出日】平成23年2月28日(2011.2.28)
【手続補正１】
【補正対象書類名】特許請求の範囲
【補正対象項目名】全文
【補正方法】変更
【補正の内容】
【特許請求の範囲】
【請求項１】
医用画像を保管する医用画像保管装置であって、
複数の医用画像を比較する比較読影において用いられる医用画像の組み合わせを示す情報を読影規則として記憶する読影規則記憶手段と、
読影画像に関する表示要求を医用画像観察装置から受信した場合に、保管している医用画像の中から当該読影画像を取得するとともに、前記読影規則記憶手段によって記憶されている読影規則に基づいて、当該読影画像と比較される比較画像を取得する画像取得手段と、
前記画像取得手段によって取得された読影画像および比較画像を検査情報として前記医用画像観察装置に配信する検査情報配信手段と、
を備えたことを特徴とする医用画像保管装置。
【請求項２】
前記読影規則記憶手段は、前記比較読影において前記複数の医用画像が表示される際の表示形式を示す情報を前記読影規則としてさらに記憶し、
前記画像取得手段は、前記読影規則記憶手段によって記憶された読影規則に基づいて、前記読影画像および前記比較画像が表示される際の表示形式をさらに取得し、
前記検査情報配信手段は、前記画像取得手段によって取得された表示形式を前記検査情報としてさらに配信することを特徴とする請求項１に記載の医用画像保管装置。
【請求項３】
前記比較読影において用いられる医用画像の組み合わせを示す情報を前記医用画像観察装置から受信する読影規則受信手段と、
前記読影規則受信手段によって受信された情報を読影規則として前記読影規則記憶手段に登録する読影規則登録手段と、
をさらに備えたことを特徴とする請求項１または２に記載の医用画像保管装置。
【請求項４】
前記比較読影において前記複数の医用画像が表示される際の表示形式を示す情報を前記医用画像観察装置から受信する表示形式受信手段と、
前記表示形式受信手段によって受信された表示形式を示す情報と前記医用画像の組み合わせを示す情報とを対応付けた情報を前記読影規則記憶手段に登録する表示形式登録手段と、
をさらに備えたことを特徴とする請求項１、２または３に記載の医用画像保管装置。
【請求項５】
医用画像を保管する医用画像保管装置と、医用画像保管装置に保管されている医用画像を表示する医用画像観察装置とを含んで構成される医用画像表示システムであって、
前記医用画像観察装置が、
比較読影に用いられる読影画像の表示要求を前記医用画像保管装置に送信する表示要求送信手段を備え、
前記医用画像保管装置が、
複数の医用画像を比較する比較読影において用いられる医用画像の組み合わせを示す情報を読影規則として記憶する読影規則記憶手段と、
前記読影画像の表示要求を前記医用画像観察装置から受信した場合に、保管している医用画像の中から当該読影画像を取得するとともに、前記読影規則記憶手段によって記憶されている読影規則に基づいて、当該読影画像と比較される比較画像を取得する画像取得手段と、
前記画像取得手段によって取得された読影画像および比較画像を検査情報として前記医用画像観察装置に配信する検査情報配信手段と、
を備えたことを特徴とする医用画像表示システム。
【請求項６】
複数の医用画像を比較する比較読影において用いられる医用画像の組み合わせを示す読影規則を医用画像保管装置から受信する受信手段と、
前記受信手段によって受信された読影規則に基づいて、医用画像保管装置から配信される医用画像を表示部に表示させる表示制御手段と、
を備えたことを特徴とする医用画像観察装置。
【請求項７】
前記医用画像保管装置に前記読影規則の変更を指示する指示手段をさらに備えたことを特徴とする請求項６に記載の医用画像観察装置。
【手続補正２】
【補正対象書類名】明細書
【補正対象項目名】発明の名称
【補正方法】変更
【補正の内容】
【発明の名称】医用画像保管装置、医用画像表示システムおよび医用画像観察装置
【手続補正３】
【補正対象書類名】明細書
【補正対象項目名】００１５
【補正方法】変更
【補正の内容】
【００１５】
また、請求項５記載の本発明は、医用画像を保管する医用画像保管装置と、医用画像保管装置に保管されている医用画像を表示する医用画像観察装置とを含んで構成される画像表示システムであって、前記医用画像観察装置が、比較読影に用いられる読影画像の表示要求を前記医用画像保管装置に送信する表示要求送信手段を備え、前記医用画像保管装置が、複数の医用画像を比較する比較読影において用いられる医用画像の組み合わせを示す情報を読影規則として記憶する読影規則記憶手段と、前記読影画像の表示要求を前記医用画像観察装置から受信した場合に、保管している医用画像の中から当該読影画像を取得するとともに、前記読影規則記憶手段によって記憶されている読影規則に基づいて、当該読影画像と比較される比較画像を取得する画像取得手段と、前記画像取得手段によって取得された読影画像および比較画像を検査情報として前記医用画像観察装置に配信する検査情報配信手段と、を備えたことを特徴とする。
【手続補正４】
【補正対象書類名】明細書
【補正対象項目名】００１６
【補正方法】変更
【補正の内容】
【００１６】
請求項１または５記載の本発明によれば、不要な医用画像を配信することなく、効率よく比較読影を行うことが可能になるという効果を奏する。
【手続補正書】
【提出日】平成23年2月14日(2011.2.14)
【手続補正１】
【補正対象書類名】特許請求の範囲
【補正対象項目名】全文
【補正方法】変更
【補正の内容】
【特許請求の範囲】
【請求項１】
被検体の所定の領域を撮影して画像化する医用画像撮影装置であって、
前記撮影により得た画像を表示する表示装置と、
前記表示装置上に表示される画像に対する操作の指示をオペレータから受け付ける入力装置と、
被検体の断面画像上に、撮影対象領域を特定する関心領域を重畳して前記表示装置に表示させる表示制御手段と、
を備え、
前記表示制御手段は、
オペレータによる前記操作の状態を判別する操作状態判別手段を備え、
前記被検体の断面画像のスライス面と予めオペレータから入力された前記関心領域とに交面がある場合、当該交面も前記断面画像上に重畳して表示するとともに、前記操作状態判別手段による判別結果に基づいて、前記表示装置に表示する前記関心領域の表示態様を変更すること
を特徴とする医用画像撮影装置。
【請求項２】
請求項１記載の医用画像撮影装置であって、
前記操作状態判別手段は、前記操作の状態を、オペレータが前記関心領域を操作している操作時状態と当該操作時以外の非操作時状態とのいずれであるか判別し、
前記表示制御手段は、
前記操作状態判別手段が操作時と判別した場合、前記関心領域の形状を前記断面画像上に重畳して表示し、非操作時状態と判別した場合、前記関心領域の向きと位置とを示す情報を前記断面画像上に重畳して表示すること
を特徴とする医用画像撮影装置。
【請求項３】
請求項１または２記載の医用画像撮影装置であって、
当該医用画像撮影装置は、磁気共鳴イメージング装置であること
を特徴とする医用画像撮影装置。
【請求項４】
請求項３記載の医用画像撮影装置であって、
前記関心領域は、ＭＲＳ（Ｍａｇｎｅｔｉｃ  Ｒｅｓｏｎａｎｃｅ  Ｓｐｅｃｔｒｏｓｃｏｐｙ）の計測領域であり、
前記磁気共鳴イメージング装置は、前記磁気共鳴現象を利用して、当該関心領域における代謝物質ごとの濃度分布を示すスペクトルデータを生成すること
を特徴とする医用画像撮影装置。
【手続補正２】
【補正対象書類名】明細書
【補正対象項目名】００３６
【補正方法】変更
【補正の内容】
【００３６】
図６は、関心領域データ１２００を説明するための図である。オペレータは、位置決め画像の、アキシャル、サジタル、コロナルの３断面それぞれの画像上から、または、座標を数値入力することにより、関心領域を特定するデータを入力する。表示画面データ生成部１１２は、指示受付部１１３を介して受け取ったデータを、直方体の重心の位置を示すＰｏｓＩｎｔ（１２０４）と、互いに直交する３辺の向きを示す単位ベクトルＲｏｗＩｎｔ（１２０１）、ＣｏｌＩｎｔ（１２０２）、および、ＲｏｗＩｎｔとＣｏｌＩｎｔとの外積ＮＩｎｔ（１２０３）と、各辺の長さＦＯＶ１Ｉｎｔ（１２０５）、ＦＯＶ２Ｉｎｔ（１２０６）、ＦＯＶ３Ｉｎｔ（１２０７）とに変換し、関心領域データ１２００として記憶装置１８に記録する。なお、関心領域データ１２００は、操作部２５を介して関心領域への移動や回転等の操作が行われる毎に更新される。
【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
遊技の進行を制御するための遊技制御プログラムを記憶した遊技制御領域と、不正行為を防止するための不正防止用プログラムを記憶した不正防止制御領域とを分離したＲＯＭと、
該ＲＯＭと、該ＲＯＭに記憶されている前記遊技制御プログラム及び前記不正防止用プログラムを実行するＣＰＵと、前記ＣＰＵがアクセスするＲＡＭとを備える遊技制御回路を有し、
該ＲＡＭは、前記遊技制御プログラムの作業領域と、前記不正防止用プログラムの作業領域とが分離されることを特徴とする遊技機。
【請求項２】
前記ＲＡＭでは、前記遊技制御プログラムの作業領域を予め設定されたアドレス空間（以下、「エリア１」という）内に収め、前記不正防止用プログラムの作業領域を前記エリア１外にすることを特徴とする請求項１記載の遊技機。
【請求項３】
景品体の払出を制御するための払出制御プログラムを記憶した払出制御領域と、不正行為を防止するための不正防止用プログラムを記憶した不正防止制御領域とを分離した払出制御回路用のＲＯＭと、
該払出制御回路用のＲＯＭと、該払出制御回路用のＲＯＭに記憶されている前記払出制御プログラム及び前記不正防止用プログラムを実行するＣＰＵと、前記ＣＰＵがアクセスするＲＡＭとを備える払出制御回路を有し、
該ＲＡＭは、前記払出制御プログラムの作業領域と、前記不正防止用プログラムの作業領域とが分離されることを特徴とする遊技機。
【請求項４】
前記ＲＡＭでは、前記払出制御プログラムの作業領域を予め設定されたアドレス空間（以下、「エリア２」という）内に収め、前記不正防止用プログラムの作業領域を前記エリア２外にすることを特徴とする請求項３記載の遊技機。
【手続補正２】
【補正対象書類名】明細書
【補正対象項目名】０００６
【補正方法】変更
【補正の内容】
【０００６】
請求項１記載の遊技機は、
遊技の進行を制御するための遊技制御プログラムを記憶した遊技制御領域と、不正行為を防止するための不正防止用プログラムを記憶した不正防止制御領域とを分離したＲＯＭと、
該ＲＯＭと、該ＲＯＭに記憶されている前記遊技制御プログラム及び前記不正防止用プログラムを実行するＣＰＵと、前記ＣＰＵがアクセスするＲＡＭとを備える遊技制御回路を有し、
該ＲＡＭは、前記遊技制御プログラムの作業領域と、前記不正防止用プログラムの作業領域とが分離されることを特徴とする。
【手続補正３】
【補正対象書類名】明細書
【補正対象項目名】０００７
【補正方法】変更
【補正の内容】
【０００７】
請求項１記載の遊技機に備わるＲＯＭは、遊技制御領域（遊技制御プログラム）と不正防止制御領域（不正防止用プログラム）とを分離したので、遊技制御プログラムと不正防止用プログラムの区別が容易であり、遊技制御プログラムの検査、チェックが簡単である。この結果、プログラム作成ミスの発生、プログラムの改竄を未然に防止する効果が期待できる。また、不正防止用プログラムが改竄されても遊技の性能には直接関係しないので、この点でも耐性が高い。
また、ＲＡＭは、遊技制御プログラムの作業領域と、不正防止用プログラムの作業領域とが分離される構成であるから、ＲＡＭの作業領域においても遊技制御プログラムと不正防止用プログラムの区別が明瞭である。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
請求項２記載の遊技機は、前記ＲＡＭでは、前記遊技制御プログラムの作業領域を予め設定されたアドレス空間（以下、「エリア１」という）内に収め、前記不正防止用プログラムの作業領域を前記エリア１外にすることを特徴とする請求項１記載の遊技機であり、遊技制御プログラムの作業領域と不正防止用プログラムの作業領域とを分離するための一構成例である。
【手続補正９】
【補正対象書類名】明細書
【補正対象項目名】００１３
【補正方法】変更
【補正の内容】
【００１３】
請求項３記載の遊技機は、景品体の払出を制御するための払出制御プログラムを記憶した払出制御領域と、不正行為を防止するための不正防止用プログラムを記憶した不正防止制御領域とを分離した払出制御回路用のＲＯＭと、
該払出制御回路用のＲＯＭと、該払出制御回路用のＲＯＭに記憶されている前記払出制御プログラム及び前記不正防止用プログラムを実行するＣＰＵと、前記ＣＰＵがアクセスするＲＡＭとを備える払出制御回路を有し、
該ＲＡＭは、前記払出制御プログラムの作業領域と、前記不正防止用プログラムの作業領域とが分離されることを特徴とする。
【手続補正１０】
【補正対象書類名】明細書
【補正対象項目名】００１４
【補正方法】変更
【補正の内容】
【００１４】
請求項３記載の遊技機に備わる払出制御回路用のＲＯＭは、払出制御領域（払出制御プログラム）と不正防止制御領域（不正防止用プログラム）とを分離したので、払出制御プログラムと不正防止用プログラムの区別が容易であり、払出制御プログラムの検査、チェックが簡単である。この結果、プログラム作成ミスの発生、プログラムの改竄を未然に防止する効果が期待できる。また、不正防止用プログラムが改竄されても遊技の性能には直接関係しないので、この点でも耐性が高い。
また、ＲＡＭは、払出制御プログラムの作業領域と、不正防止用プログラムの作業領域とが分離される構成であるから、ＲＡＭの作業領域においても払出制御プログラムと不正防止用プログラムの区別が明瞭である。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
請求項４記載の遊技機は、前記ＲＡＭでは、前記払出制御プログラムの作業領域を予め設定されたアドレス空間（以下、「エリア２」という）内に収め、前記不正防止用プログラムの作業領域を前記エリア２外にすることを特徴とする請求項３記載の遊技機であり、払出制御プログラムの作業領域と不正防止用プログラムの作業領域とを分離するための一構成例である。
【手続補正書】
【提出日】平成23年3月1日(2011.3.1)
【手続補正１】
【補正対象書類名】特許請求の範囲
【補正対象項目名】全文
【補正方法】変更
【補正の内容】
【特許請求の範囲】
【請求項１】
計数するための遊技媒体を貯留する貯留部と、前記貯留部の上部に設けられる表示部との間に遊技媒体を投入するための空間を有する計数機であって、
遊技客が所持する携帯端末に内蔵されたＩＣチップから携帯端末識別情報を取得する情報取得装置を前記表示部の側部に配置したことを特徴とする計数機。 
【請求項２】
前記情報取得装置に近接する箇所に前記携帯端末を載置する載置面が形成された携帯端末載置手段を備え、
前記携帯端末載置手段の載置面を奥行き方向に進むほど鉛直位置が高くなるように傾けて配置することを特徴とする請求項１に記載の計数機。 
【請求項３】
前記携帯端末載置手段に形成された載置面を照射する発光手段をさらに備え、
前記携帯端末載置手段と前記発光手段とを一体型に構成したことを特徴とする請求項２に記載の計数機。 
【請求項４】
前記発光手段によって照射される前記携帯端末載置手段の載置面の側面、天面もしくはこれら両方を被覆するように形成したことを特徴とする請求項３に記載の計数機。 
【請求項５】
前記計数機の装置状態を検知する検知手段と、
前記検知手段によって検知された装置状態に応じて前記発光手段による発光態様を変化させる発光制御手段をさらに備えたことを特徴とする請求項３または４に記載の計数機。
【請求項６】
前記情報取得装置に近接する箇所に前記携帯端末を載置する載置面が形成された携帯端末載置手段と、
前記携帯端末載置手段に形成された載置面を照射する発光手段と
を備えたことを特徴とする請求項１に記載の計数機。
【手続補正書】
【提出日】平成23年2月25日(2011.2.25)
【手続補正１】
【補正対象書類名】明細書
【補正対象項目名】００１７
【補正方法】変更
【補正の内容】
【００１７】
吸収性物品の形状は、たとえば生理用ナプキンであれば、長方形、楕円型、瓢箪型、ショーツとのズレを防止するいわゆるウィングが搭載されている等、女性の身体及びショーツの形状に適合する形状であれば特に限定されない。外形の延べ寸法は、長手方向１００〜５００ｍｍが好ましく、１５０〜３５０ｍｍがより好ましい。また、短手方向は３０〜２００ｍｍが好ましく、４０〜１８０ｍｍであることがより好ましい。
【手続補正２】
【補正対象書類名】明細書
【補正対象項目名】００１８
【補正方法】変更
【補正の内容】
【００１８】
本願発明の吸収性物品を構成する液透過性シートは、経血、尿等の体内からの液状排泄物を、その下層に設けた吸収体へ通過させる機能を有するとともに、液不透過性シートとの間に吸収体を挟むことにより吸収体を保持するためのものである。液透過性シートは、その全部または一部が液透過性であり、液透過域は、多数の液透過孔が形成された樹脂フィルム、多数の網目を有するネット状シート、または液透過性の不織布もしくは織布などで形成される。前記樹脂フィルムやネット状シートは、ポリプロピレン（ＰＰ）、ポリエチレン（ＰＥ）、ポリエチレンテレフタレート（ＰＥＴ）などで形成されたものを使用できる。また不織布としては、レーヨンなどのセルロース繊維、合成樹脂繊維などから形成されたスパンレース不織布、合成樹脂繊維で形成されたエアスルー不織布などを用いることができる。また、素材として、ポリ乳酸、キトサン、ポリアルギン酸などの生分解性が可能な天然物を用いることもできる。また、多数の液透過孔を形成すると共に、シリコーン系やフッ素系の撥水性油剤を塗布して、その外面に体液が付着しにくいものとしてもよい。
【手続補正３】
【補正対象書類名】明細書
【補正対象項目名】００１９
【補正方法】変更
【補正の内容】
【００１９】
液透過性シートの目付は１５〜１００ｇ／ｍ２が好ましく、２０〜５０ｇ／ｍ２がより好ましく、２５〜４０ｇ／ｍ２が特に好ましい。目付が１５ｇ／ｍ２未満だと表面強度が十分に得られず、使用中に破けるおそれがある。また１００ｇ／ｍ２を超える場合、過度のごわつきが発現し、使用中に違和感を生じる。さらには、長時間使用の場合には、４０ｇ／ｍ２を超えてしまうと、液体を液透過性シートで保持してしまいベタベタした状態で維持され続け、不快に感じるようになってしまう。また、密度は０．１２ｇ／ｃｍ３以下で液透過性であれば特には限定されない。密度がこれを超える場合、液透過性シートの繊維間をスムーズに透過することが難しい。経血の場合、尿などにくらべ粘性が高いので密度が低いものが好ましい。
【手続補正４】
【補正対象書類名】明細書
【補正対象項目名】００２１
【補正方法】変更
【補正の内容】
【００２１】
液透過性シートは、光線透過率が高すぎると、エンボスを施さない部分にも着色層が存在する場合、液透過性シート側から着色層の色が透けて見えてしまい、凹部の色味が濃く見えてもあまり目立たなくなってしまうおそれがある。したがって、液透過性シートはその光線透過率が７０％以下であることが好ましく、より好ましくは３０％〜６５％である。液透過性シートは白色である必要はなく、凹部が見た目に異なった色として視認されるならば白色以外でもよい。好ましい光線透過率の液透過性シートは、たとえば、液透過性シートに着色剤を混合することにより得ることができる。例として液透過性シートを白色のままで光線透過率を下げるのを目的とするのであれば、酸化チタンを用い、その配合量を繊維全体に対して０．１〜５０質量％、好ましくは１〜１０質量％とする。また、液透過性シートの光線透過率を下げる方法として、不織布を構成する繊維の径を小さくするといった方法も挙げられる。この場合は、繊維の太さの適正範囲は６．６ｄｔｅｘ以下、好ましくは０．１〜３．３ｄｔｅｘである。
【手続補正５】
【補正対象書類名】明細書
【補正対象項目名】００２２
【補正方法】変更
【補正の内容】
【００２２】
液透過性シートの厚み（嵩）は、液透過性シートが不織布の場合、同じ目付けの資材でもエンボスなどにより嵩がなくなっていると、非エンボス部から色が透けて見えやすい。また、圧縮されるとホットメルト樹脂が含浸する可能性もあるので、液透過性シートとして用いる資材にはある程度の厚み・嵩が必要になる。液透過性シートの厚みは、好ましくは３ｇ／ｃｍ２荷重下において０．２ｍｍ以上、より好ましくは０．３〜１．５ｍｍである。
【手続補正６】
【補正対象書類名】明細書
【補正対象項目名】００２４
【補正方法】変更
【補正の内容】
【００２４】
本願発明の吸収性物品は、液透過性シートと吸収体の間に、さらに第二の液透過性シートが設けられていてもよい。第二の液透過性シートは、前記液透過性シートと類似の素材（たとえば不織布）のものであって、前記液透過性シートよりも若干密度の高いものが用いられ、液はけ性を改善したり、液戻りしにくくするために、設けることができる。
本願発明の吸収性物品は、液透過性シート２と吸収体４の間または第二の液透過性シート７と吸収体４の間に、さらにクッション層が設けられていてもよい。
【手続補正７】
【補正対象書類名】明細書
【補正対象項目名】００４５
【補正方法】変更
【補正の内容】
【００４５】
［実施例１］
図１の平面図および図２の断面図で示される生理用ナプキンを次のように製造した。